(57)【特許請求の範囲】
【請求項１】
室内機および室外機を有する空気調和機と、サーバと、前記空気調和機および前記サーバと通信可能な端末とを備える空気調和機のメンテナンスシステムであって、
前記サーバは、
前記空気調和機の機種に固有の制御データであり、前記空気調和機の運転のためのプログラムであって、前記制御データに対応する前記プログラムの最新のバージョン情報を含む前記制御データが格納される記憶部と、
前記制御データを前記端末に転送する通信部とを備え、
前記端末は、
前記サーバから前記制御データをダウンロードする通信部と、
前記制御データを前記室内機に送信する送信部とを備え、
前記室内機は、
前記端末から前記制御データを受信する受信部と、
前記制御データを前記室外機に送信する通信部とを備え、
前記室外機は、
前記プログラム、および前記プログラムのバージョン情報が書き込まれる第１の記憶部と、
前記制御データが書き込まれる第２の記憶部と、
前記室内機から前記制御データを受信する通信部と、
前記第１の記憶部に書き込まれている前記バージョン情報と、前記室外機の前記通信部が受信した前記制御データに含まれる前記最新のバージョン情報とを比較する比較部と、
前記比較部による比較の結果、前記バージョン情報と、前記最新のバージョン情報とが一致しているときは、前記第２の記憶部の内容を、前記室外機の前記通信部が受信した前記制御データの内容に書き換える書換部とを備える
ことを特徴とする空気調和機のメンテナンスシステム。
【請求項２】
前記空気調和機、および前記空気調和機の取扱説明書の少なくとも一方は前記空気調和機の機種情報を持ったコードを有し、
前記端末は、前記コードを読み取ることにより前記機種情報を取得する読取部を備え、
前記端末の前記通信部は、前記機種情報を前記サーバに送信し、
前記サーバの前記通信部は、前記機種情報から判別された前記空気調和機の機種に固有の前記制御データを前記端末に転送することを特徴とする請求項１に記載の空気調和機のメンテナンスシステム。
【請求項３】
前記室外機の前記通信部は、前記比較部による比較の結果、前記バージョン情報と、前記最新のバージョン情報とが一致しないときは、エラー信号を前記室内機へ送信し、
前記室内機は、前記室外機から前記エラー信号を受信した際に、エラーを報知する報知部を備えることを特徴とする請求項１または２に記載の空気調和機のメンテナンスシステム。
【請求項４】
前記室外機の前記第１の記憶部に書き込まれている前記バージョン情報が前記室外機から前記室内機および前記端末を介して前記サーバに転送され、
前記転送された前記バージョン情報を含む前記制御データが前記サーバから前記端末および前記室内機を介して前記室外機に転送されることを特徴とする請求項１から３のいずれか１項に記載の空気調和機のメンテナンスシステム。
【請求項５】
室内機および室外機を有する空気調和機のメンテナンス方法であって、
端末が、前記空気調和機の機種に固有の制御データであり、前記空気調和機の運転のためのプログラムであって、前記制御データに対応する前記プログラムの最新のバージョン情報を含む前記制御データが格納されるサーバから前記制御データをダウンロードするステップと、
前記端末が、前記制御データを前記室内機に送信するステップと、
前記室内機が、前記端末から受信した前記制御データを前記室外機に送信するステップと、
前記室外機が、前記プログラム、および前記プログラムのバージョン情報が書き込まれる第１の記憶部に書き込まれている前記バージョン情報と、受信した前記制御データに含まれる前記最新のバージョン情報とを比較するステップと、
前記バージョン情報と、前記最新のバージョン情報とが一致しているときは、前記室外機が、前記制御データが書き込まれる第２の記憶部の内容を、前記室内機から受信した前記制御データの内容に書き換えるステップとを含む
ことを特徴とする空気調和機のメンテナンス方法。
【発明の詳細な説明】
【技術分野】
【０００１】
本発明は、空気調和機の制御データの書き換えを行う空気調和機のメンテナンスシステムおよび空気調和機のメンテナンス方法に関する。
【背景技術】
【０００２】
通常、空気調和機が工場から出荷される時点で当該空気調和機の制御基板上のマイクロコンピュータ（以下、「マイコン」という。）に当該空気調和機の運転のためのプログラム（以下、「運転プログラム」という。）が書き込まれており、制御基板上のＥＥＰＲＯＭ（Electrically  Erasable  Programmable  Read-Only  Memory）（登録商標）といったメモリに当該空気調和機の機種に固有の制御データが書き込まれている。制御データは、たとえば、当該空気調和機の機種を判別させるための機種情報と、当該空気調和機のアクチュエータを動作させるためのパラメータとを含む。上述した制御データは空気調和機の機種毎に固有である。制御データがメモリに書き込まれた制御基板を用意しておく場合、制御データは空気調和機の機種毎に異なるため、制御基板のハードウェアが同一であったとしても、制御基板を空気調和機の機種毎に分けておく必要がある。【０００３】
たとえば、客先で空気調和機に不具合が発生し、客先へサービスマンが当該空気調和機の修理に赴く場合、サービスマンが当該空気調和機の機種に対応した交換用の制御基板（以下、交換用の制御基板を「サービス基板」という。）を持っていく必要があるときは、サービスマンは当該サービス基板を事前に入手しておく必要があり、サービスマンの負担になっていた。また、空気調和機の製造メーカ側も、空気調和機の機種毎に対応するサービス基板の在庫を持つ必要があり、製造メーカ側の負担になっていた。【０００４】
特許文献１に記載の発明では、サービスマンが汎用の携帯情報端末を使用して、上述したメモリ内の機種情報の書き換えを可能としている。これにより、機種情報が異なる空気調和機の機種間においても、サービス基板の共通化が実現される。
【先行技術文献】
【特許文献】
【０００５】
【特許文献１】特開２００６−１３２８７０号公報
【発明の概要】
【発明が解決しようとする課題】
【０００６】
しかしながら、特許文献１に記載の発明では、空気調和機の室内機の制御基板上のメモリ内の機種情報の書き換えを想定しており、空気調和機の室外機の制御基板上のメモリ内の制御データの書き換えによる空気調和機の室外機のサービス基板の共通化については考慮されていなかった。【０００７】
本発明は、上記に鑑みてなされたものであって、空気調和機の室外機の制御基板の共通化を実現することができる空気調和機のメンテナンスシステムを得ることを目的とする。
【課題を解決するための手段】
【０００８】
上述した課題を解決し、目的を達成するために、本発明にかかる、空気調和機のメンテナンスシステムは、室内機および室外機を有する空気調和機を備える。空気調和機のメンテナンスシステムは、サーバを備える。空気調和機のメンテナンスシステムは、空気調和機およびサーバと通信可能な端末を備える。サーバは、空気調和機の機種に固有の制御データであり、前記空気調和機の運転のためのプログラムであって、前記制御データに対応する前記プログラムの最新のバージョン情報を含む前記制御データが格納される記憶部を備える。サーバは、制御データを端末に転送する通信部を備える。端末は、サーバから制御データをダウンロードする通信部を備える。端末は、制御データを室内機に送信する送信部を備える。室内機は、端末から制御データを受信する受信部を備える。室内機は、制御データを室外機に送信する通信部を備える。室外機は、プログラム、およびプログラムのバージョン情報が書き込まれる第１の記憶部と、制御データが書き込まれる第２の記憶部を備える。室外機は、室内機から制御データを受信する通信部を備える。室外機は、第１の記憶部に書き込まれているバージョン情報と、室外機の通信部が受信した制御データに含まれる最新のバージョン情報とを比較する比較部と、比較部による比較の結果、バージョン情報と、最新のバージョン情報とが一致しているときは、第２の記憶部の内容を、室外機の通信部が受信した制御データの内容に書き換える書換部を備える。
【発明の効果】
【０００９】
本発明にかかる空気調和機のメンテナンスシステムは、空気調和機の室外機の制御基板の共通化を実現することができるという効果を奏する。
【図面の簡単な説明】
【００１０】
【図１】本発明の実施の形態１にかかる空気調和機のメンテナンスシステムの一例を示す構成図
【図２】図１の空気調和機のメンテナンスシステムの機能構成の一例を示すブロック図
【図３】図１の空気調和機のメンテナンスシステムが実行する書き換え処理のシーケンス図
【図４】本発明の実施の形態２にかかる空気調和機のメンテナンスシステムの機能構成の一例を示すブロック図
【図５】図４の空気調和機のメンテナンスシステムが実行する書き換え処理のシーケンス図
【図６】本発明の実施の形態３にかかる空気調和機のメンテナンスシステムの機能構成の一例を示すブロック図
【図７】図６の空気調和機のメンテナンスシステムにおける空気調和機が実行する書き換え処理のフローチャート
【発明を実施するための形態】
【００１１】
以下に、本発明の実施の形態にかかる空気調和機のメンテナンスシステムおよび空気調和機のメンテナンス方法を図面に基づいて詳細に説明する。なお、この実施の形態によりこの発明が限定されるものではない。
【００１２】
実施の形態１．
まず、本発明の実施の形態１にかかる空気調和機のメンテナンスシステムについて説明する。図１は、本発明の実施の形態１にかかる空気調和機のメンテナンスシステムの一例を示す構成図である。
【００１３】
図１に示す空気調和機のメンテナンスシステム１は、空気調和機１０と、汎用の携帯情報端末４０と、メンテナンスサーバ５０とを備える。空気調和機１０は、室内機２０と、室外機３０とを有する。携帯情報端末４０は、端末の一例である。メンテナンスサーバ５０は、サーバの一例である。携帯情報端末４０は室内機２０と通信可能である。携帯情報端末４０はインターネット６０を経由してメンテナンスサーバ５０と通信可能である。
【００１４】
室内機２０は、マイコン２１と、携帯情報端末４０と通信可能な受信回路２２と、後述する制御データを記憶するためのＥＥＰＲＯＭといったメモリ２３と、ブザー２４と、室外機３０と通信可能な通信回路２５とを備える。マイコン２１は、ＣＰＵ（Central  Processing  Unit）、メモリおよび入出力インターフェース回路（いずれも図示しない）を有する。
【００１５】
室外機３０は、マイコン３１と、後述する制御データが書き込まれるＥＥＰＲＯＭといったメモリ３２と、ファンモータ３３と、圧縮機３４と、四方弁３５と、電磁弁３６と、室内機２０と通信可能な通信回路３７とを備える。マイコン３１は、ＣＰＵ、メモリおよび入出力インターフェース回路（いずれも図示しない）を有する。本実施の形態では、室外機３０の制御基板には少なくともメモリ３２が設けられる。室内機２０の通信回路２５と、室外機３０の通信回路３７とは通信線１１によって接続される。室内機２０の受信回路２２は、空気調和機１０のリモコン１２と通信可能である。リモコン１２は、空気調和機１０の運転を制御するための運転信号を室内機２０の受信回路２２に送信可能である。
【００１６】
携帯情報端末４０は、無線による送受信機能を有する。メンテナンスサーバ５０には、空気調和機１０の機種毎に固有の制御データがアップロードされる。たとえば、メンテナンスサーバ５０は空気調和機１０の製造メーカが有するサーバであり、当該製造メーカによって空気調和機１０の機種毎に固有の制御データが当該サーバにアップロードされる。携帯情報端末４０は、インターネット６０を経由してメンテナンスサーバ５０から制御データのダウンロードが可能である。携帯情報端末４０は、制御データを室内機２０の受信回路２２へ送信可能である。携帯情報端末４０は、リモコン１２を介して制御データを室内機２０の受信回路２２へ送信することも可能である。
【００１７】
制御データは、たとえば、メンテナンスサーバ５０に空気調和機１０の機種を判別させるための機種情報を含む。制御データは、たとえば、ファンモータ３３、圧縮機３４、四方弁３５および電磁弁３６といった空気調和機１０のアクチュエータを動作させるためのパラメータを含む。
【００１８】
図１に示す空気調和機のメンテナンスシステム１は、後述する図３の書き換え処理を実行することにより、室外機３０のメモリ３２の内容の書き換えを行うことができる。これにより、異なる機種間で室外機３０の制御基板のハードウェアが同一であれば、制御基板を空気調和機１０の機種毎に分けておく必要がなくなり、すなわち機種が異なっていてもサービス基板は共通となるため、空気調和機１０の室外機３０の制御基板の共通化を実現することができる。
【００１９】
次に、図１の空気調和機のメンテナンスシステムの機能構成について説明する。図２は、図１の空気調和機のメンテナンスシステムの機能構成の一例を示すブロック図である。
【００２０】
図２に示す室内機２０は、制御部２０１と、第１の記憶部２０２と、第２の記憶部２０３と、受信部２０４と、通信部２０５とを有する。制御部２０１は、室内機２０の全体を制御する。第１の記憶部２０２は、マイコン２１が有するメモリに対応する。第１の記憶部２０２には、空気調和機１０の運転プログラムが書き込まれている。第２の記憶部２０３は、メモリ２３に対応する。第２の記憶部２０３は、携帯情報端末４０から受信した制御データを記憶する。受信部２０４は、携帯情報端末４０から制御データを受信する。通信部２０５は、携帯情報端末４０から受信した制御データを室外機３０へ送信する。
【００２１】
室外機３０は、制御部３０１と、第１の記憶部３０２と、第２の記憶部３０３と、通信部３０４とを有する。制御部３０１は、室外機３０の全体を制御する。第１の記憶部３０２は、マイコン３１が有するメモリに対応する。第１の記憶部３０２には、空気調和機１０の運転プログラムが書き込まれている。第１の記憶部３０２は、室外機のプログラム記憶部の一例である。第２の記憶部３０３は、メモリ３２に対応する。第２の記憶部３０３には、制御データが書き込まれている。第２の記憶部３０３は、室外機の記憶部の一例である。通信部３０４は、室内機２０から制御データを受信する。制御部３０１は、書換部３０５を有する。書換部３０５は、第２の記憶部３０３の内容を通信部３０４が受信した制御データの内容に書き換える。
【００２２】
携帯情報端末４０は、制御部４０１と、記憶部４０２と、通信部４０３と、送信部４０４とを有する。制御部４０１は、携帯情報端末４０の全体を制御する。記憶部４０２は、メンテナンスサーバ５０からダウンロードされた制御データを記憶する。通信部４０３は、メンテナンスサーバ５０から制御データをダウンロードする。送信部４０４は、メンテナンスサーバ５０からダウンロードされた制御データを室内機２０へ送信する。
【００２３】
メンテナンスサーバ５０は、制御部５０１と、記憶部５０２と、通信部５０３とを有する。制御部５０１は、メンテナンスサーバ５０の全体を制御する。記憶部５０２には、メンテナンスサーバ５０にアップロードされた制御データが格納される。通信部５０３は、制御データを携帯情報端末４０へ転送する。
【００２４】
次に、図１の空気調和機のメンテナンスシステムが実行する書き換え処理について説明する。図３は、図１の空気調和機のメンテナンスシステムが実行する書き換え処理のシーケンス図である。
【００２５】
ステップＳ１０１において、携帯情報端末４０の通信部４０３は、インターネット６０を経由してメンテナンスサーバ５０から空気調和機１０の機種に固有の制御データをダウンロードする。
【００２６】
次いで、携帯情報端末４０の記憶部４０２は、ステップＳ１０１でダウンロードされた制御データを記憶する（ステップＳ１０２）。
【００２７】
次いで、携帯情報端末４０の送信部４０４は、ステップＳ１０１でダウンロードされた制御データを室内機２０へ送信する（ステップＳ１０３）。室内機２０の受信部２０４は、ステップＳ１０３で送信された制御データを受信する。
【００２８】
次いで、室内機２０の第２の記憶部２０３は、ステップＳ１０３で送信された制御データを記憶する（ステップＳ１０４）。
【００２９】
次いで、室内機２０の通信部２０５は、ステップＳ１０３で送信された制御データを室外機３０へ送信する（ステップＳ１０５）。室外機３０の通信部３０４は、ステップＳ１０５で送信された制御データを受信する。
【００３０】
次いで、室外機３０の書換部３０５は、第２の記憶部３０３の内容をステップＳ１０５で送信された制御データの内容に書き換えて（ステップＳ１０６）、本処理を終了する。
【００３１】
図３に示した書き換え処理によれば、室外機３０の制御基板のメモリ３２の内容がメンテナンスサーバ５０にアップロードされた制御データの内容に書き換えられる。これにより、異なる機種間で室外機３０の制御基板のハードウェアが同一であれば、制御基板を空気調和機１０の機種毎に分けておく必要がなくなり、すなわち機種が異なっていてもサービス基板は共通となるため、空気調和機１０の室外機３０の制御基板の共通化を実現することができる。
【００３２】
図３に示した書き換え処理によれば、汎用の携帯情報端末４０を用いて、制御データのダウンロード、および室外機３０の制御基板上のメモリ３２の内容の書換えが可能となるため、客先へサービスマンが空気調和機１０の修理に赴く場合、ハードウェアが同一であるサービス基板を持っていれば、事前に空気調和機１０の機種に対応したサービス基板を用意する必要がなくなり、急な制御基板の交換にも対応することができる。
【００３３】
図３に示した書き換え処理によれば、室外機３０の制御基板上のメモリ３２の内容を書き換えることができるため、制御データの更新も可能になる。
【００３４】
図３に示した書き換え処理では、室内機２０が汎用の携帯情報端末４０から書き換え用の制御データを受信してから、一定時間は空気調和機１０を空気調和機１０のリモコン１２から送信される運転信号を受け付けない書き換えモードになるように設定しておくことが好ましい。これにより、メモリ３２の内容を制御データの内容へ書き換えている最中に空気調和機１０のリモコン１２から送信される運転信号を受信することによる誤動作を抑制することができる。
【００３５】
実施の形態２．
次に、本発明の実施の形態２にかかる空気調和機のメンテナンスシステムについて説明する。図４は、本発明の実施の形態２にかかる空気調和機のメンテナンスシステムの機能構成の一例を示すブロック図である。本発明の実施の形態２にかかる空気調和機のメンテナンスシステム１Ａは、空気調和機１０Ａの機種情報を持ったコード２０６を有し、携帯情報端末４０Ａが読取部４０５を有している点が、上述した実施の形態１と異なる。実施の形態１と重複した構成および作用については説明を省略し、以下に異なる構成および作用についての説明を行う。
【００３６】
図４に示す室内機２０Ａは、空気調和機１０Ａの機種を判別させるための機種情報を持ったコード２０６を有する。コード２０６は、一次元コードであってもよく、二次元コードであってもよい。コード２０６は、室内機２０Ａの筐体に設けられているのがよい。コード２０６が室内機２０Ａの筐体に設けられている場合には、たとえばコード２０６を示すラベルが室内機２０Ａの筐体に貼付される。コード２０６は、室内機２０Ａが有していなくてもよい。たとえば、コード２０６は、空気調和機１０Ａの取扱説明書に設けられていてもよい。コード２０６は、携帯情報端末４０Ａが読み取ることができる場所に設けられていればよい。
【００３７】
携帯情報端末４０Ａは、コード２０６を読み取ることにより空気調和機１０Ａの機種情報を取得する読取部４０５を有する。読取部４０５は、一次元コードおよび二次元コードの少なくとも一方を読み取ることができるカメラを含む。携帯情報端末４０Ａの通信部４０３Ａは、空気調和機１０Ａの機種情報をメンテナンスサーバ５０Ａに送信する。
【００３８】
メンテナンスサーバ５０Ａの通信部５０３Ａは、携帯情報端末４０Ａから送信された空気調和機１０Ａの機種情報を受信する。メンテナンスサーバ５０Ａの制御部５０１Ａは、空気調和機１０Ａの機種情報から空気調和機１０Ａの機種を判別する。メンテナンスサーバ５０Ａの通信部５０３Ａは、空気調和機１０Ａの機種情報から判別された空気調和機１０Ａの機種に固有の制御データを携帯情報端末４０Ａに転送する。
【００３９】
次に、図４の空気調和機のメンテナンスシステムが実行する書き換え処理について説明する。図５は、図４の空気調和機のメンテナンスシステムが実行する書き換え処理のシーケンス図である。
【００４０】
ステップＳ２０１において、携帯情報端末４０Ａの読取部４０５は、たとえば室内機２０Ａの筐体が有するコード２０６を読み取ることにより空気調和機１０Ａの機種情報を取得する。
【００４１】
次いで、携帯情報端末４０Ａの通信部４０３Ａは、空気調和機１０Ａの機種情報をメンテナンスサーバ５０Ａに送信する（ステップＳ２０２）。メンテナンスサーバ５０Ａの通信部５０３Ａは、携帯情報端末４０Ａから送信された空気調和機１０Ａの機種情報を受信する。メンテナンスサーバ５０Ａの制御部５０１Ａは、ステップＳ２０２で送信された空気調和機１０Ａの機種情報から空気調和機１０Ａの機種を判別する。
【００４２】
次いで、携帯情報端末４０Ａの通信部４０３Ａは、インターネット６０を経由してメンテナンスサーバ５０Ａから制御データをダウンロードする（ステップＳ２０３）。メンテナンスサーバ５０Ａの通信部５０３Ａは、空気調和機１０Ａの機種情報から判別された空気調和機１０Ａの機種に固有の制御データを携帯情報端末４０Ａに転送する。
【００４３】
次いで、携帯情報端末４０Ａの記憶部４０２は、ステップＳ２０３でダウンロードされた制御データを記憶する（ステップＳ２０４）。
【００４４】
次いで、携帯情報端末４０Ａの送信部４０４は、ステップＳ２０３でダウンロードされた制御データを室内機２０Ａへ送信する（ステップＳ２０５）。室内機２０Ａの受信部２０４は、ステップＳ２０５で送信された制御データを受信する。
【００４５】
次いで、室内機２０Ａの第２の記憶部２０３は、ステップＳ２０５で送信された制御データを記憶する（ステップＳ２０６）。
【００４６】
次いで、室内機２０Ａの通信部２０５は、ステップＳ２０５で送信された制御データを室外機３０へ送信する（ステップＳ２０７）。室外機３０の通信部３０４は、ステップＳ２０７で送信された制御データを受信する。
【００４７】
次いで、室外機３０の書換部３０５は、第２の記憶部３０３の内容をステップＳ２０７で送信された制御データの内容に書き換えて（ステップＳ２０８）、本処理を終了する。
【００４８】
図５に示した書き換え処理によれば、上述した実施の形態１と同様の効果を奏することができるとともに、携帯情報端末４０Ａが制御データをダウンロードする時点で空気調和機１０Ａの機種と制御データとの組み合わせに齟齬が発生することを抑制することができる。
【００４９】
実施の形態３．
次に、本発明の実施の形態３にかかる空気調和機のメンテナンスシステムについて説明する。図６は、本発明の実施の形態３にかかる空気調和機のメンテナンスシステムの機能構成の一例を示すブロック図である。本発明の実施の形態３にかかる空気調和機のメンテナンスシステム１Ｂは、制御データに当該制御データに対応する空気調和機１０Ｂの運転プログラムの最新のバージョン情報が含まれ、室内機２０Ｂが報知部２０７を有し、室外機３０Ａの制御部３０１Ａの機能構成が異なる点が、上述した実施の形態１と異なる。実施の形態１と重複した構成および作用については説明を省略し、以下に異なる構成および作用についての説明を行う。
【００５０】
図６に示すメンテナンスサーバ５０Ｂにアップロードされる制御データには、当該制御データに対応する、空気調和機１０Ｂの運転プログラムの最新のバージョン情報が含まれる。
【００５１】
携帯情報端末４０は、メンテナンスサーバ５０Ｂから制御データをダウンロードして、室内機２０Ｂへ制御データを送信する。室内機２０Ｂは、携帯情報端末４０から制御データを受信して、室外機３０Ａへ制御データを送信する。
【００５２】
室外機３０Ａの第１の記憶部３０２Ａには、空気調和機１０Ｂの運転プログラム、および当該運転プログラムのバージョン情報が書き込まれている。室外機３０Ａの制御部３０１Ａは、読出部３０６と、比較部３０７と、書換部３０５と、判定部３０８とを有する。読出部３０６は、第１の記憶部３０２Ａから空気調和機１０Ｂの運転プログラムのバージョン情報を読み出す。比較部３０７は、読出部３０６が読み出した運転プログラムのバージョン情報と、室内機２０Ｂから送信された制御データに含まれる運転プログラムの最新のバージョン情報とを比較する。書換部３０５は、読出部３０６が読み出した運転プログラムのバージョン情報と、室内機２０Ｂから送信された制御データに含まれる運転プログラムの最新のバージョン情報とが一致しているときは、第２の記憶部３０３の内容を室内機２０Ｂから送信された制御データの内容に書き換える。判定部３０８は、第２の記憶部３０３の内容の書き換えが正常に終了したか否かを判定する。通信部３０４Ａは、第２の記憶部３０３の内容の書き換えが正常に終了したときは、完了信号を室内機２０Ｂへ送信する。通信部３０４Ａは、読出部３０６が読み出した運転プログラムのバージョン情報と、室内機２０Ｂから送信された制御データに含まれる運転プログラムの最新のバージョン情報とが一致しないとき、または第２の記憶部３０３の内容の書き換えが正常に終了しないときは、エラー信号を室内機２０Ｂへ送信する。
【００５３】
室内機２０Ｂの通信部２０５Ａは、室外機３０Ａから送信された完了信号またはエラー信号を受信する。室内機２０Ｂの報知部２０７は、書き換えが完了した旨または書き換えでエラーが発生した旨を報知する。
【００５４】
次に、図６の空気調和機のメンテナンスシステムにおける空気調和機が実行する書き換え処理について説明する。図７は、図６の空気調和機のメンテナンスシステムにおける空気調和機が実行する書き換え処理のフローチャートである。
【００５５】
ステップＳ３０１において、上述した図３の書き換え処理と同様に、室内機２０Ｂの受信部２０４は、携帯情報端末４０がメンテナンスサーバ５０Ｂからダウンロードした制御データを受信する。
【００５６】
次いで、室内機２０Ｂの第２の記憶部２０３は、ステップＳ３０１で受信部２０４が受信した制御データを記憶する（ステップＳ３０２）。
【００５７】
次いで、室内機２０Ｂの通信部２０５Ａは、ステップＳ３０１で受信部２０４が受信した制御データを室外機３０Ａへ送信する（ステップＳ３０３）。
【００５８】
次いで、室外機３０Ａの通信部３０４Ａは、ステップＳ３０３で送信された制御データを受信する（ステップＳ３０４）。
【００５９】
次いで、室外機３０Ａの読出部３０６は、第１の記憶部３０２Ａから空気調和機１０Ｂの運転プログラムのバージョン情報を読み出す（ステップＳ３０５）。
【００６０】
次いで、室外機３０Ａの比較部３０７は、ステップＳ３０５で読み出された運転プログラムのバージョン情報と、ステップＳ３０４で通信部３０４Ａが受信した制御データに含まれる運転プログラムの最新のバージョン情報とを比較して、ステップＳ３０５で読み出された運転プログラムのバージョン情報と、ステップＳ３０４で通信部３０４Ａが受信した制御データに含まれる運転プログラムの最新のバージョン情報とが一致しているか否かを判定する（ステップＳ３０６）。
【００６１】
ステップＳ３０６での判定の結果、ステップＳ３０５で読み出された運転プログラムのバージョン情報と、ステップＳ３０４で通信部３０４Ａが受信した制御データに含まれる運転プログラムの最新のバージョン情報とが一致しているときは（ステップＳ３０６でＹｅｓ）、室外機３０Ａの書換部３０５は、第２の記憶部３０３の内容をステップＳ３０４で通信部３０４Ａが受信した制御データの内容に書き換える（ステップＳ３０７）。
【００６２】
次いで、室外機３０Ａの判定部３０８は、第２の記憶部３０３の内容の書き換えが正常に終了したか否かを判定する（ステップＳ３０８）。室外機３０Ａの判定部３０８は、第２の記憶部３０３に書き込まれた制御データを読み出して、読み出した制御データと書換部３０５が第２の記憶部３０３に書き込んだ制御データとを照合することにより、書き換えが正常に終了したか否かを判定することができる。
【００６３】
ステップＳ３０８での判定の結果、第２の記憶部３０３の内容の書き換えが正常に終了したときは（ステップＳ３０８でＹｅｓ）、室外機３０Ａの通信部３０４Ａは、完了信号を室内機２０Ｂへ送信する（ステップＳ３０９）。
【００６４】
次いで、室内機２０Ｂの通信部２０５Ａは、ステップＳ３０９で送信された完了信号を受信する（ステップＳ３１０）。
【００６５】
次いで、室内機２０Ｂの報知部２０７は、書き換えが完了した旨を報知する（ステップＳ３１１）。たとえば、ステップＳ３１１ではブザー２４から完了を表した音を出力する。
【００６６】
ステップＳ３０６での判定の結果、ステップＳ３０５で読み出された運転プログラムのバージョン情報と、ステップＳ３０４で通信部３０４Ａが受信した制御データに含まれる運転プログラムの最新のバージョン情報とが一致しないとき（ステップＳ３０６でＮｏ）、またはステップＳ３０８での判定の結果、第２の記憶部３０３の内容の書き換えが正常に終了しないときは（ステップＳ３０８でＮｏ）、室外機３０Ａの通信部３０４Ａは、エラー信号を室内機２０Ｂへ送信する（ステップＳ３１２）。
【００６７】
次いで、室内機２０Ｂの通信部２０５Ａは、ステップＳ３１２で送信されたエラー信号を受信する（ステップＳ３１３）。
【００６８】
次いで、室内機２０Ｂの報知部２０７は、書き換えでエラーが発生した旨を報知する（ステップＳ３１４）。たとえば、ステップＳ３１４ではブザー２４からエラーを表した音を出力する。ステップＳ３１１またはステップＳ３１４の後に、本処理を終了する。
【００６９】
図７に示した書き換え処理によれば、上述した実施の形態１と同様の効果を奏することができるとともに、運転プログラムのバージョン情報の不一致による空気調和機１０Ｂの誤動作を抑制することができる。
【００７０】
また、図６の空気調和機のメンテナンスシステム１Ｂにおいて、室外機３０Ａの第１の記憶部３０２Ａに格納された運転プログラムのバージョン情報を、室外機３０Ａから室内機２０Ｂおよび携帯情報端末４０を介してメンテナンスサーバ５０Ｂに転送し、当該運転プログラムのバージョン情報を含む制御データをメンテナンスサーバ５０Ｂから携帯情報端末４０および室内機２０Ｂを介して室外機３０Ａに転送するようにしてもよい。室内機２０Ｂが運転プログラムのバージョン情報を携帯情報端末４０へ送信する送信部を有し、携帯情報端末４０が室内機２０Ｂから運転プログラムのバージョン情報を受信する受信部を有する。この場合においても、運転プログラムのバージョン情報の不一致による空気調和機１０Ｂの誤動作を抑制することができる。
【００７１】
上述した実施の形態１から３では、室外機３０，３０Ａのメモリ３２の内容の書き換えを行ったが、同様に室内機２０，２０Ａ，２０Ｂのメモリ２３の内容の書き換えを行うこともできる。室内機２０，２０Ａ，２０Ｂの制御部２０１，２０１Ａに、室外機３０，３０Ａの制御部３０１，３０１Ａの機能を持たせるようにすればよい。
【００７２】
以上の実施の形態に示した構成は、本発明の内容の一例を示すものであり、別の公知の技術と組み合わせることも可能であるし、本発明の要旨を逸脱しない範囲で、構成の一部を省略および変更することも可能である。
【符号の説明】
【００７３】
１，１Ａ，１Ｂ  空気調和機のメンテナンスシステム、１０，１０Ａ，１０Ｂ  空気調和機、１１  通信線、１２  リモコン、２０，２０Ａ，２０Ｂ  室内機、２１，３１  マイコン、２２  受信回路、２３，３２  メモリ、２４  ブザー、２５，３７  通信回路、３０，３０Ａ  室外機、３３  ファンモータ、３４  圧縮機、３５  四方弁、３６  電磁弁、４０，４０Ａ  携帯情報端末、５０，５０Ａ，５０Ｂ  メンテナンスサーバ、６０  インターネット、２０１，２０１Ａ，３０１，３０１Ａ，４０１，４０１Ａ，５０１，５０１Ａ  制御部、２０２，３０２，３０２Ａ  第１の記憶部、２０３，３０３  第２の記憶部、２０４  受信部、２０５，２０５Ａ，３０４，３０４Ａ，４０３，４０３Ａ，５０３，５０３Ａ  通信部、２０６  コード、２０７  報知部、３０５  書換部、３０６  読出部、３０７  比較部、３０８  判定部、４０２，５０２，５０２Ａ  記憶部、４０４  送信部、４０５  読取部。
【図１】
0006671538.tif 000002
【図２】
0006671538.tif 000003
【図３】
0006671538.tif 000004
【図４】
0006671538.tif 000005
【図５】
0006671538.tif 000006
【図６】
0006671538.tif 000007
【図７】
0006671538.tif 000008